(57)【特許請求の範囲】
【請求項１】
空中線量を測定する検出部を備えた空中線量測定用プローブと、ファントーム内部の線量を測定する検出部を備えた内部線量測定用プローブと、前記空中線量測定用プローブを挿入するための挿入孔と前記内部線量測定用プローブを挿入するための挿入孔を有し、人間の血液と透過Ｘ線量が同じとなる厚みを備えた樹脂で構成されるファントームに、前記２つの挿入孔に各々空中線量測定用プローブまたは内部線量測定用プローブを挿入して用いて、上下両方向から血液バッグに放射線を照射する放射線照射装置の線量を測定する線量測定用治具において、
前記ファントームを装着させるための複数の孔を有した位置決めプレートを備え、前記複数の孔のうち一つの孔は、その同一孔において、前記ファントームを装着する位置を２箇所備え、且つ、前記ファントームを前記２箇所の装着位置のうち、一方の装着位置に挿入することにより、前記ファントームから露出した前記空中線量測定用プローブの検出部の位置が、前記プレート及びＸ線照射野の中心位置となり、前記ファントームを前記２箇所の装着位置のうち、他方の装着位置に挿入することにより、前記ファントーム内にある前記内部線量測定用のプローブの検出部の位置が、前記プレート及びＸ線照射野の中心位置となるよう形成された孔であることを特徴とする線量測定用治具。
【請求項２】
前記ファントームは、前記放射線照射装置内の空中線量を測定する場合、散乱Ｘ線を抑えるステンレス板で覆われていることを特徴とする請求項１に記載の線量測定用治具。
【請求項３】
前記位置決めプレートの複数の孔は、前記位置決めプレートの中心を中心とする周上に形成される周囲孔であることを特徴とする請求項１記載の線量測定用治具。
【発明の詳細な説明】
【０００１】
【発明の属する技術分野】
本発明は移植片対宿主病の防止のために、血液バッグ等に放射線を照射する放射線照射装置において、あらかじめ、照射される線量の確認を行うために使用する線量測定用治具の構成に関するものである。
【０００２】
【従来の技術】
病院等の医療機関においては、輸血後に、輸血を受けた患者に移植片対宿主病（ＧＶＨＤ）が発症することを防止するために、血液バッグに封入された血液に放射線照射が行われている。この放射線量を測定する治具は、従来、Ｘ線等の放射線の空中線量の測定用プローブの位置決め固定用に散乱Ｘ線がほとんど無い発泡材を材料とした位置決め治具を用い、内部線量の測定には、実際の血液バッグの厚さに対して半分になる厚さの水を充填した血液バッグを２個重ね合せ、この水を充填した血液バッグの重ね合せ部分の中心にプローブを挟みこんで防護ボックスの中に入れ、各々プローブの上下の一定距離より放射線を照射し、プローブに照射されるＸ線量を線量計で測定していた。
【０００３】
【発明が解決しようとする課題】
これには次のような欠点があった。
（イ）空中線量の測定用プローブの位置決め治具に発泡材を用いていたので強度的に弱く長期使用に耐えない問題があつた。
【０００４】
（ロ）内部線量の測定用の治具は、現物の１／２の厚さの空の血液バッグに水を充填していたので、血液バッグの表面は曲面のためプローブを平面状に設置するのには手間がかかった。またプローブが平行に設置できないと線量値のばらつきが大きくなり、線量測定値の再現性も悪い。更に血液バッグは通気性が良いため長時間放置により、蒸発して厚さが薄くなつて正確な線量の測定ができなくなる問題があつた。
【０００５】
本発明の目的は、上記問題に鑑みて成されたもので、強度的に強く、かつ位置決めが正確で容易な治具を、提供することにある。
【０００６】
【課題を解決するための手段】
上下両方向から血液バッグに放射線を照射する放射線照射装置の線量測定用の治具において、空中線量測定用のプローブを挿入するための挿入孔と内部線量測定用のプローブを挿入するための挿入穴を有し、人間の血液と透過Ｘ線量が同じとなる厚みを備えた樹脂で構成されるファントームと、前記ファントームを装着させるための複数の孔を有した位置決めプレートとを備え、前記ファントームを前記孔に挿入することにより、前記ファントームから露出した前記空中線量測定用のプローブの検出部、または前記挿入穴に挿入された前記内部線量測定用のプローブの検出部をＸ線照射野の所定位置へ位置決めすることを特徴とする線量測定用治具。
【０００７】
【発明の実施の形態】
本発明の一実施形態を移植片対宿主病の防止を目的とし、血液バッグ等にＸ線を照射する放射線照射装置の照射される線量の確認を行うために使用する線量測定用治具の構成を例にとり説明する。
【０００８】
図１は本発明による上下両方向から血液バッグにＸ線を照射するためのＸ線照射装置用のファントームの機能を備えた治具の斜視図を示す。図１において、符号１は、検出部が人間の血液とＸ線透過線量が同等になるようにＸ線透過方向の厚みを調整し、材料の選定をした透明のアクリル樹脂で立方体または直方体に成形されたファントーム、２はファントーム１の側面に垂直に空けられた孔で、空中線量を測定するプローブを挿入するための空中線量測定用孔、３はファントーム１の側面の中央に垂直に空けられた穴で内部線量を測定するプローブを挿入するための内部線量測定用穴、４はファントーム１の正面に空けられた前記空中線量測定用孔２にプローブを通したときにそのプローブを固定するためのねじ孔を示す。
【０００９】
図２は、前記ファントーム１をＸ線照射時、所定の位置に位置決めするための位置決めプレートの平面図を示す。図２において、５はＸ線吸収の少ないマイラーシートまたはカーボンファイバー等の材料でなる位置決めプレートである。
【００１０】
６はＸ線照射時、空中線量と内部線量を測定するとき各々のプローブをファントーム１に取り付けた状態で、後記するプローブ検出部の中心を位置決めプレートの中心に一致させてファントーム１を位置決めする第一の中心孔であり、その内形形状は二つのファントームの外形をずらして並べた形状を有する。
【００１１】
また７は、第一の周囲孔で、その内形形状は上から見たファントーム１の外形をしており位置決めプレート５の中心を中心とする直径３５０ミリの周上に９０°ずつ等分割に分割してして形成されている。８は位置決めプレート５の下に重ねられ、Ｘ線を殆ど透過し、ファントーム１を支持するためのカーボンファイバープレート、このほか図に示していないが、後記する図３，図４で説明する空中線量測定用に使用される治具として、ステンレス板，Ｘ線吸収の少ない紙テープ，空の血液バッグがある。
【００１２】
次に、上記の治具を使用した空中線量の測定方法について説明する。
図３は空中線量測定用にファントーム１へプローブ１０を取り付け、位置決めプレート５に装着した状態の斜視図を示し、図４は上記位置決めプレート５に、ファントーム１を装着した状態で、防護ボックス内の台に載せてＸ線を照射する状態の斜視図を示す。各々の図において、先の図と同じものには同じ符号を付し、その他、９はファントーム１の空中線測定用孔２にプローブ１０を固定する止めねじ、１０は空中線量を測定する線量測定用のプローブ、１１はプローブ１０の検出部の中心、１２は空中線量測定時、散乱Ｘ線を抑える材料としてのステンレス板で、プローブ１０の検出部が突出するファントーム１の面に接するステンレス板にはプローブ１０の検出部が貫通する丸孔があいている。１４は予め照射されるＸ線の管電圧，管電流が設定されているＸ線源、１５は位置決めプレート５の中心をＸ線源１４のＸ線照射野の中心軸に一致させて搭載する台、１６はプローブ１０に上下方向よりＸ線を照射するときＸ線が外部へ漏洩しないように防護する防護ボックス、１７はプローブ１０に照射されたＸ線の線量を測定する線量計、１８はプローブ１０と線量計１７を接続するケーブルを示す。
【００１３】
図３において、Ｘ線照射時、散乱Ｘ線の発生を防ぐため、ファントーム１の外面にステンレス板１２をＸ線の吸収の少ない紙テープ（図示せず）で固定する。このためファントーム１の空中線量測定用孔２にプローブ１０を通し、プローブ１０の検出部１１が全て出た位置で止めネジ９を用いてプローブ１０を固定し、プローブ１０を固定したファントーム１を位置決めプレート５の第一の中心孔６の図中左側の孔に装着する。第一の中心孔５のファントーム１と係合する部分は、ステンレス板１２の厚みを考慮して大きくしている。
【００１４】
図４において、第一の中心孔６にファントーム１を装着し、位置決めプレート５を防護ボックス１６の中にある台１５の外周の内側に合わせて載せ、前記プローブ１０を線量計１７にケーブル１８で接続し、防護ボックス１６を閉じ、管電圧、管電流、照射時間を血液バッグへの照射時間と同じに設定してＸ線源１４より予め位置決めされた検出部の中心１１を目指して上下両方向よりＸ線を放射状に照射し、線量計１７により線量を確認する。なおプローブを備えたファントーム１を測定したい部位に移動すればどの部位の線量測定も可能であるし、さらに一回のＸ線照射で全ての測定部位について測定したいのであれば（空中線量の測定は一般的に一箇所のみの測定をで良いことになっているが）測定部位の数に合わせたファントーム１と、ステンレス板１２と、プローブ１０と線量計１７を用意すれば良い。
【００１５】
次に、上記治具と測定器を使用した内部線量の測定方法について説明する。
図５は内部線量測定用にファントームを組み立てた状態の斜視図を示し、図６は内部線量測定時にＸ線を照射する状態図の斜視図を示す。各々の図において先の図と同じものには同じ符号を付し、その他符号１９は空の血液バッグを示す。
【００１６】
図５において、ファントーム１の内部線量測定用穴３にプローブ１０の検出部を入れて、実際の血液バッグとプローブ１０の検出部１１における内部線量を同じ条件で確認するために外周全体を空の血液バッグ１９で覆う。プローブ１０を挿入するたにファントーム１の内部線量測定用穴３と同様な径の孔を空の血液バッグ１９にもあけておく。この状態でファントーム１を位置決めプレート５の第一の中心孔６の図中右側の孔に装着する。
【００１７】
そして図６に示すように、ファントーム１の外周全体を空の血液バッグ１９で覆ったものを、位置決めプレート５の第一の周囲孔７にそれぞれ装着する。このため第一の周囲孔７はファントーム１と係合する部分は空の血液バッグ１９の厚みを考慮して大きくしておく。ファントーム１が装着された位置決めプレート５を、防護ボックス１６の中にある台１５に外周の内側を合わせて載せ、前記プローブ１０を線量計１７にケーブル１８を介して接続し、防護ボックス１６に入れられた状態で、管電圧，管電流，照射時間を血液バッグへの照射時と同じに設定してＸ線源１４より予め位置決めされたプローブ１０の検出部の中心１１を目指して上下方向よりＸ線を放射状に照射する。なおファントーム１は測定したい部位に移動すればどの部位の線量測定も可能である。この状態でＸ線の線量を線量計１７で読み取る。もし一回のＸ線照射で多くの位置の内部線量の測定を行いたいのであれば測定部位の数に合わせたファンーム１と、空の血液バッグ１９と、プローブ１０と線量計１７を用意すれば良い。
【００１８】
次ぎに、本発明の第二実施例について図に沿って説明する。図７は空中線量検出部と内部線量検出部との双方を備えたプローブ２０を組み込んだ一体形ファントームの斜視図を示し、図中、符号２５は血液バックに封入された血液とＸ線透過線量が同等になるようにＸ線透過方向の厚みと、材料の選定をした透明のアクリル樹脂で立方体または直方体に形成された一体形ファントーム、２６は一体形ファントーム２５の側面から垂直に挿入され外部に露出したプローブ２０の空中線量検出部、２７は一体形ファントーム２５の側面からに垂直に挿入されファントームの内部に位置したプローブ２０の内部線量検出部を示す。
【００１９】
図８は、前記一体形ファントーム２５をＸ線照射時、所定の位置に位置決めするための第二の位置決めプレート２８の平面図を示す。第二の位置決めプレート２８はＸ線量の吸収の少ないマイラーシートまたはカーボンファイバー等の材料からなる。２９はＸ線照射時、空中線量と内部線量を測定するときプローブ２０を一体形ファントーム２５に取り付けた状態で、プローブ２０の検出部の中心を第二の位置決めプレートの中心に一致させて一体形ファントーム２５を位置決めする第二の中心孔であり、その内形形状は孔の中で一体形ファントーム２５を直線的に所定距離だけ移動できる形状を有する。
【００２０】
また３０は、第二の周囲孔で、その内形形状は上から見た一体形ファントーム２５の外形をしており第二の位置決めプレート本体２８の中心を中心とする直径３５０ミリの周上に９０°ずつ等分割して形成されている。
その他空中線量測定用に使用される治具として、ステンレス板、Ｘ線吸収の少ない紙テープが、また内部線量測定用に使用される治具として空の血液バッグがあることは第一の実施例と同様である。
【００２１】
次に、空中線量と内部線量を測定する際の第二の位置決めプレート２８への一体形ファントーム２５の配置について説明する。
【００２２】
図９は前記第二の位置決めプレ一ト２８に一体形ファントーム２５を挿着し空中線量を測定する場合の平面図を示す。図９において、Ｘ線照射時、散乱Ｘ線の発生を防ぐため、一体形ファントーム２５の外面にステンレス板１２をＸ線の吸収の少ない紙テープ（図示せず）で固定し、それを第二の中心孔２９の図中左側の孔に装着する。第二の中心孔２９の一体形ファントーム２５と係合する部分は、ステンレス板１２の厚みを考慮して大きくしている。第二の位置決めプレート２８への中心孔２９に一体形ファントーム２５を挿入し、プローブ２０の空中線量検出部２６が第二の位置決めプレート２８の中心に来るように図中第二の中心穴２９の左方向に寄せる。この状態で第二の位置決めプレート２８を、図９には省いているが先の例に示すように、防護ボックス１６の中にある台１５に外周を合わせて載せ、前記プローブ２０を線量計１７にケーブル１８で接続し、防護ボックス１６を閉じ、前記第一の実施例と同様にＸ線条件を設定してＸ線源１４よりプローブ２０の空中線量検出部の中心２６を目指して上下方向よりＸ線を放射状に照射し線量計１７により線量を確認する。
【００２３】
図１０は前記第二の位置決めプレ一ト２８に一体形ファントーム２５を挿着し内部線量を測定する場合の平面図を示す。図１０において、一体形ファントーム２５を実際の血液バッグとプローブ２０の内部線量検出部２６における内部線量を同じ条件で確認するために外周全体を空の血液バッグ１９で覆う。プローブ２０を挿入するための丸孔（図示せず）を空の血液バッグ１９にもあけておく。この状態で一体形ファントーム２５を第二の位置決めプレート２８の第二一の中心孔２９の図中右側に位置させる。第二の位置決めプレート２８の中心孔２９と周囲孔３０のそれぞれに、一体形ファントーム２５を挿入し、各プローブ２０の内部線量検出部２７が第二の位置決めプレート２８の中心及び周囲孔３０の中心に来るように配置する。この状態で第二の位置決めプレート２８を図１０には省いているが防護ボックス１６の中にある台１５に外周の内側を合わせて載せ、前記プローブ２０を線量計１７にケーブル１８で接続し、防護ボックス１６を閉じ、前記第一の実施例と同様にＸ線条件を設定してＸ線源１４よりプローブ２０の内部線量検出部の中心２７を目指して上下方向よりＸ線を放射状に照射し線量計により線量を確認する。
【００２４】
【発明の効果】
上記に説明のように、線量の測定用の位置決め治具はマイラーシートまたはカーボンファイバー等のプラスチック樹脂で成形されているので発泡材を用いていたのに対し格段に強度的な信頼生を向上する。また内部線量の測定用の治具はアクリル樹脂で成形されたファントームの丸穴にプローブを挿入し樹脂でできた位置決め孔にファントームを挿入することにより位置決めができるので手間がかからず、再現性のある測定ができる。
【図面の簡単な説明】
【図１】本発明によるファントームの斜視図。
【図２】本発明による位置決めプレートの平面図。
【図３】空中線量測定時ファントームを位置決めプレートに位置決めをしたときの斜視図。
【図４】ファントームによる空中線量測定時の斜視図。
【図５】内部線量測定時ファントームを位置決めプレートに位置決めをしたときの斜視図。
【図６】ファントームによる内部線量測定時の平面図。
【図７】本発明の第二実施形態による一体形ファントームの斜視図。
【図８】本発明の第二実施形態による第二の位置決めプレートの平面図。
【図９】本発明の第二実施形態による第二の位置決めプレートに一体形ファントームを挿着し空中線量を測定する場合の平面図を示す。
【図１０】本発明の第二実施形態による第二の位置決めプレートに一体形ファントームを挿着し内部線量を測定する場合の平面図を示す。
【符号の説明】
１  ファントーム
２  空中線量測定用孔
３  内部線量測定用穴
５  位置決めプレート
６  第一の中心孔
７  第一の周囲孔
８  カーボンプレート
１０  プローブ
１１  線量検出部
１２  ステンレス板
１４  Ｘ線源
１６  防護ボックス
１７  線量計測定器
２５  一体形ファントーム
２６  空中線量検出部
２７  内部線量検出部
２８  第二の位置決めプレート
【図１】
0004454708.tif 000002
【図２】
0004454708.tif 000003
【図３】
0004454708.tif 000004
【図４】
0004454708.tif 000005
【図５】
0004454708.tif 000006
【図６】
0004454708.tif 000007
【図７】
0004454708.tif 000008
【図８】
0004454708.tif 000009
【図９】
0004454708.tif 000010
【図１０】
0004454708.tif 000011